(57)【特許請求の範囲】
【請求項１】
本体前面下部に設けられた上流側の吸込口から本体前面上部に設けられた下流側の吹出口の間に、上流側から順に送風機、熱交換器を配設し、前記吹出口に水平風向変更板と垂直風向変更板を有する床置形空気調和機において、前記吹出口下部の本体前面壁に、前記熱交換器の上方の本体前面垂直壁を沿って流れる風を前記水平風向変更板と吹出口下部の間に導く流体案内壁を備えたことを特徴とする床置式空気調和機。
【請求項２】
垂直風向変更板の上端部に設けられた連結アームと、本体天面壁前部に収納された前記垂直風向変更板を駆動する駆動モータと、を備えたことを特徴とする請求項１記載の床置式空気調和機。
【請求項３】
流体案内壁の上面に立設され、風を吹出口から正面に吹き出すように整流するとともに垂直風向変更板の軸受けを兼ねる固定風向板を備えたことを特徴とする請求項２記載の床置式空気調和機。
【請求項４】
流体案内壁は、吹出口下部前縁部近傍から本体前面垂直壁に向かって円弧状に形成されることを特徴とする請求項１記載の床置式空気調和機。
【請求項５】
流体案内壁と垂直壁との接続部に設けられ、段差を形成する抵抗壁を備えたことを特徴とする請求項１記載の床置式空気調和機。
【発明の詳細な説明】
【０００１】
【産業上の利用分野】
この発明は床置形空気調和機に関するもので、詳しくは熱交換器での風速分布の改善及び吹出口での水平風向変更板等への結露を防止する技術に関するものである。
【０００２】
【従来の技術】
（従来例１）
図１７は従来の床置形空気調和機を示す縦断面図である。図において、１は空気調和機本体で、前面下部に設けられた本体吸込口２、前面上部に設けられた本体吹出口３、本体背面を形成するリアパネル４、本体前面のフロントパネル５等で構成されている。６はリアパネル４の下部に取り付けられたケーシングで、このケーシング６の内部に一端がリアパネル４で支持されたモータ７が収納されると共に、モータ７の他端、軸の先端にはファン８が装着されている。６ａは本体吸込口２に対向するケーシング吸込口、６ｂは本体内上部に向かって開口するケーシング吹出口、９はケーシング６の上方にリアパネル４側に傾斜して配設された熱交換器である。
【０００３】
次に動作を説明する。モータ７によりファン８が駆動されると、室内空気が本体吸込口２からケーシング吸込口６ａに吸い込まれ、吸い込まれた空気はファン８によりケーシング吹出口６ｂから送出され、熱交換器９を通過することにより冷媒と熱交換した後本体吹出口３から室内へ吹き出される。この場合、本体吹出口３が本体前面上部に位置し、かつファンが本体背面のリアパネル４側に固着されているので熱交換器９を通過する空気の速度はリアパネル４に近い側、即ち熱交換器９の上部が速く、リアパネル４から離れた熱交換器９の下部では遅くなり風速分布が均一にならない。そのため熱交換器９の性能が最大限に活用されていない。
【０００４】
熱交換器９の風速分布を改善する方法として、例えば図１８に示すようにケーシング吹出口６ｂの上方に風を熱交換器９の中央側へ導く導風板１０を設けることが提案されているが、固定方法が複雑で組立性が悪く価格が高くなり、強制的に風を偏向させているので風路圧力損失が大で音が大きくなるという問題点があり解決策として満足なものではない。
【０００５】
（従来例２）
図１９は他の従来の床置形空気調和機を示す縦断面図、図２０は同要部斜視図である。図において、符号１〜３、８、９は従来例１と全く同一のものでありその説明は省略する。１６は吹出口３の幅方向ほぼ全幅に設けられた吹出風の上下方向に風向を変更する水平風向変更板、１７は吹出口３の縦方向ほぼ全長に設けられた左右方向に風向を変更する垂直風向変更板、１８は垂直風向変更板１７の下端部に設けられ、垂直風向変更板１７を連結する連結アーム、１９はこの連結アーム１８の駆動モータで、垂直風向変更板１７の軸受と共に吹出口３の下側のユニット内部流体案内壁２０に収納されている。
【０００６】
次に動作について説明する。本体１の前面下部に設けられた吸込口２よりファン（送風機）８により吸い込まれた空気は熱交換器９により冷媒と熱交換して吹出口３から室内へ吹き出される。この吹出口３に設けられた複数の水平風向変更板１６により調和空気を上下に風向変換し、室内の空調条件によって吹出空気の上下の方向を調整する。また、吹出口３に設けられた複数の垂直風向変更板１７が駆動モータ１９により連結アーム１８を介して左右に自動的に駆動され吹出空気を左右に拡散させる。空気調和機本体１の吹出口３真下の前面外壁と内壁２０の間には、垂直風向変更板１７の軸受部とその下に駆動モータ１９が収納されているために、内壁２０は吹出口３近くで内側にふくらむ形状となり、熱交換器９で熱交換された空気Ａ（Ａ1 ，Ａ2 ）、Ｂの中内壁２０に沿って流れる空気Ａ（Ａ1 ，Ａ2 ）は吹出口３の上部に押し上げられるため吹出口３下部の風量は少なくなると共に、垂直風向変更板１７の連結アーム１８によって乱される。そのため、吹出口３周囲の高湿度の暖気Ｃが風量が少なく、かつ乱れた吹出口３下部から本体内部へ巻き込まれ水平風向変更板１７及び内壁２０に結露が生じる。
【０００７】
【発明が解決しようとする課題】
従来の床置形空気調和機は以上のように構成されているので、次のような問題点があった。
（従来例１の問題点）
（１）熱交換器９での風速分布が均一でないため、性能を最大限に活用できず熱交換器９を大形にしなければならなかった。
（２）また、熱交換器９での風速分布が均一でないため、風速が大の上部で圧力損失が生じ、騒音が大きくなる。
（３）吹出口３から室内へ吹き出される空気の風速分布も必然的に均一でなくなり、風の乱れによって冷房運転時に吹出口３に露付き（結露）が生じる。
（４）導風板１０による改善案は固定方法が複雑で組立性が悪く価格高となる上に、強制的に風を偏向させるため風路圧力損失が大きく、騒音も大きくなる。
【０００８】
（従来例２の問題点）
（１）吹出口３周囲の室内の高湿度の暖気Ｃは、風量が少なく、かつ乱れているため、吹出口下部から本体内部に巻き込まれ、水平風向変更板１６及び内壁２０に結露し、本体外部に露が流れ出る恐れがあった。
（２）結露防止のためには、水平風向変更板１６及び内壁２０等に植毛加工または断熱材等を貼付ける必要があるが価格が高く、吹出口３の清掃性が悪くなる。
【０００９】
この発明は上記のような問題点を解決するためになされたもので、構造が複雑で価格高な風の偏向装置を用いることなく、熱交換器を通過する空気の風速分布が均一な床置形空気調和機を提供すること。
吹出口の風速分布が均一で水平風向変更板及び内壁の結露を防止できると共に、万一結露した場合でも本体の内部に露を回収できる床置形空気調和機を提供することを目的とする。
【００１２】
【課題を解決するための手段】
請求項１の床置式空気調和機は、本体前面下部に設けられた上流側の吸込口から本体前面上部に設けられた下流側の吹出口の間に、上流側から順に送風機、熱交換器を配設し、吹出口に水平風向変更板と垂直風向変更板を有する床置形空気調和機において、吹出口下部の本体前面壁に、熱交換器の上方の本体前面垂直壁を沿って流れる風を水平風向変更板と吹出口下部の間に導く流体案内壁を備えたことを特徴とする。
【００１３】
請求項２の床置式空気調和機は、請求項１記載のものにおいて、垂直風向変更板の上端部に設けられた連結アームと、本体天面壁前部に収納された垂直風向変更板を駆動する駆動モータと、を備えたことを特徴とする。
【００１４】
請求項３の床置式空気調和機は、請求項２記載のものにおいて、流体案内壁の上面に立設され、風を吹出口から正面に吹き出すように整流するとともに垂直風向変更板の軸受けを兼ねる固定風向板を備えたことを特徴とする。
【００１５】
請求項４の床置式空気調和機は、請求項１記載のものにおいて、流体案内壁は、吹出口下部前縁部近傍から本体前面垂直壁に向かって円弧状に形成されることを特徴とする。
【００１６】
請求項５の床置式空気調和機は、請求項１記載のものにおいて、流体案内壁と垂直壁との接続部に設けられ、段差を形成する抵抗壁を備えたことを特徴とする。
【００１９】
【作用】
請求項１の床置式空気調和機は、本体前面垂直壁を沿って流れる風が水平風向変更板と吹出口下部の間に導かれる。
【００２０】
請求項２の床置式空気調和機は、連結アームと駆動モータ収納部を通過する空気の風速は大きい。
【００２１】
請求項３の床置式空気調和機は、風が吹出口から正面に吹き出される。
【００２２】
請求項４の床置式空気調和機は、円弧状の流体案内壁が本体前面垂直壁を沿って流れる風を水平風向変更板と吹出口下部の間に導く。
【００２３】
請求項５の床置式空気調和機は、本体前面垂直壁を沿って流れる風の一部がジャンプして吹出口中央から吹き出される。
【００２４】
【実施例】
実施例１．
（実施例１の概要）
従来の床置形空気調和機は、送風機がリアパネル下部に収納され、本体吹出口が本体前面上部に位置するので、必然的にリアパネルに沿って流れる空気の速度が最も大きくなり、熱交換器を通過する空気の風速分布を不均一にしていたが、この実施例はその風速が最も大きくなるリアパネルに沿う風路に本体内部に突出する三角形状のガイド（偏向手段）を設けることにより、リアパネルに沿って流れる空気を熱交換器側（本体中央部側）へ偏向させることにより、熱交換器を通過する空気の風速分布を均一化する。
【００２５】
以下、この発明の実施例１を図について説明する。図１はこの発明の実施例１による床置形空気調和機の縦断面図である。図において、符号１〜９は従来の装置と全く同一のものであり、その説明は省略する。１１はケーシング吹出口６ｂの上方でリアパネル４の内壁に設けられた本体内部に突出する三角形状（突起形状）のガイドである。
【００２６】
次に動作について説明する。モータ７がファン８を駆動すると室内空気が本体吸込口２からケーシング吸込口６ａに吸い込まれ、ファン８によりケーシング吹出口６ｂから熱交換器９へ向かって送り出される。最も風速の大きいリアパネル４に沿って上方へ流れる空気はリアパネル４に固着された三角形状のガイド１１によって風向が変えられて、本体中央部の熱交換器９側へ偏向されるので、この風速の大きい熱交換器９側へ偏向された流れに空気全体が引っぱられて熱交換器９へ向かい、熱交換器９を通過する空気の風速分布が均一になる。
【００２７】
この実施例によれば、送風機のケーシング吹出口６ｂの上方で、リアパネル４の内壁に三角形状のガイド（風の偏向手段）１１を設けたので、最も風速の大きいリアパネル４に沿って流れる空気を熱交換器９側へ偏向させて、空気全体の流れを熱交換器９へ向かうようにしたので、熱交換器９を通過する空気の風速分布を均一にすることができ熱交換器９の性能を効率良く活用でき、容量を小さくする効果を奏すると共に、熱交換器９を通過する際の圧力損失が低減し、騒音が小さくなるという効果を奏する。さらに、風の偏向手段は三角形状のガイド１１をリアパネル４の内壁に固着するだけの簡単な構造なので、組立性が良く安価である。
【００２８】
実施例２．
実施例１では、リアパネル４の内壁に別部品である三角形状のガイド１１を取り付けるものを示したが、図２に示すようにリアパネル４に一体に突起形状（三角形状）のガイドを形成しても良い。これにより、部品点数が減ると共に組立性が更に良くなり安価になる。
【００２９】
実施例３．
実施例１、２では偏向手段が断面三角形状のものを示したが、図３に示すように断面舌形状（湾曲形）の滑らかなガイド１１をリアパネル４に取り付けても良い。ガイド１１が滑らかな湾曲形をしているため曲がり抵抗が小さく風量特性を低下させることなく熱交換器９を通過する空気の風速分布を均一化することができる。
【００３０】
実施例４．
実施例１〜３では、偏向手段であるガイド１１をリアパネル４に取り付けたものを示したがリアパネル４の他にフロントパネル５に取り付けても同様の効果を奏する。
図４はこの発明の実施例４を示す床置形空気調和機の縦断面図であり、図において、ガイド１１はリアパネル４の他にフロントパネル５にも取り付けられている。上記実施例と同様ファンケーシング吹出口６ｂから送り出された空気はリアパネル４に取り付けられたガイド１１によって偏向されて熱交換器９に向かうが、熱交換器９を通過した空気がフロントパネル５に取り付けられたガイド１１により熱交換器９側へ曲げられ、より一層熱交換器９を通過する空気の風速分布を均一化できると共に、本体吹出口３を通過する空気の風速分布を改善することにより冷房運転時の本体吹出口３における露付き（結露）を防止できる。
【００３１】
実施例５．
実施例１〜４ではリアパネル４にガイド１１を１箇所取り付けたものを示したが、図５に示すようにリアパネル４の上下２箇所にガイド１１を取り付けることによりさらに熱交換器９での風速分布を改善することができる。
以下、この発明の実施例５を図について説明する。図５はこの発明の実施例５による床置形空気調和機の縦断面図、図６は同外形斜視図、図７はガイド１１の取り付け状態を示す透視図である。
【００３２】
ガイド１１が１箇所だけの場合は、リアパネル４の下側にガイド１１を取り付けると熱交換器９の下側は風が流れ、風速分布が改善されるが、熱交換器９の中間付近に風が流れなくなる。反対にリアパネル４の上側にガイド１１を取り付けると熱交換器９の中間付近は風が流れ、風速分布が改善されるが、熱交換器９の下側に風が流れなくなる。それに対し、図５に示すように、ガイド１１を２箇所、リアパネル４の上側と下側に幅方向全幅に取り付けることにより熱交換器９の下側にも中間にも風が流れるため、熱交換器９全体の風速分布を改善することができる。ガイド１１の大きさは大きければ大きいほど風を曲げる効果があるが、その分圧力損失が大きくなり、音が大きくなるという問題が生じるため、風量と風路の大きさにより適度の大きさが決まる。この実施例ではガイド１１の高さは風路の幅に対し１０％程度としており、圧力損失を抑え風速分布の改善を実現している。
【００３３】
この実施例によれば、リアパネル４の上下２箇所にガイド１１を幅方向全幅に取り付けることにより、熱交換器９の下部及び中間部にも空気が流れるので熱交換器９全体の風速分布を改善することができる。
【００３４】
実施例６．
実施例５では、ガイド１１をリアパネル４に上下２箇所幅方向全幅に取り付けたものを示したが、全幅ではなく中央部に取り付けることにより必要最小限の圧力損失増で最も効果的な熱交換器９の風速分布を改善することができる。
図８はこの発明の実施例６による床置形空気調和機のガイドの取り付け状態を示す透視図である。図に示すように、この実施例ではガイド１１がリアパネル４の幅方向全幅ではなく中央部に設けられているので、熱交換が最も盛んに行なわれる熱交換器９の中央部の風速分布を改善することができ、必要最小限の圧力損失増で最も効果的な熱交換器９の風速分布の改善を行なうことができる。
【００３５】
実施例７．
上記実施例では、ガイド１１をリアパネル４の上、下に２箇所取り付けたものを示したが、図９のようにリアパネル４の左右、上下に複数箇所にガイド１１を配置しても良く、送風機の仕様によりリアパネル４を流れる風速にばらつきがある場合、それに合わせ最適な位置にガイド１１を取り付けることで効果的に熱交換器９の風速分布を改善することができる。
【００３６】
実施例８．
上記実施例では、ガイド１１をリアパネル４に水平に取り付けたものを示したが、図１０に示すように水平ではなく傾斜をつけて取り付けても良く、特にケーシング吹出口６ｂから吹き出される風の主流方向が垂直でなく傾きを有する場合に有効である。
【００３７】
実施例９．
上記実施例では、ガイド１１がリアパネル４に固定されているものを示したが、図１１に示すように風量に応じて、傾き、リアパネル４への取付位置を自動的に変更できるものである。
ガイド１１の取付位置、大きさが固定されていると、ある風量に対しては熱交換器９を通過する風速の分布を最適に改善することができるが、風量が変化すると風の偏向の具合が変化するため分布が悪くなる。しかし、ガイドの傾き、取付位置が変わる機構にすれば、どのような風量に対しても風速分布を改善することができる。
【００３８】
実施例１０．
図１２に示すように、ガイド１１の形状を熱交換器９との隙間が上方に行くに従い徐々に狭くなるようにしたもので、突起形状のガイド１１を取り付けた場合と同様の効果を奏する。
【００３９】
実施例１１．
（実施例１１の概要）
従来の床置形空気調和機は、熱交換器で熱交換されて本体前面の内壁に沿って流れる空気が内壁のふくらみによって上部に押し上げられ、かつ垂直風向変更板の連結アームが流れが乱されるために、室内の暖気を本体内に吹出口下部から巻き込むために水平風向変更板や内壁に結露することがあったが、この実施例ではこの問題点を解決するために、垂直風向変更板の連結アームを吹出口の上部に配置すると共に、その駆動モータを吹出口真上の本体天面前部に移動し、かつ吹出口真下の本体内壁を円弧状の流体案内壁とすることにより吹出口下部から吹出される風量を従来のものより多くして、室内の暖気を本体内部へ巻き込むことを防止するものである。
【００４０】
以下、この発明の実施例１１を図について説明する。図１３はこの発明の実施例１１による床置形空気調和機の縦断面図、図１４は同要部斜視図、図１５は同空気の流れを示す正面図である。図において、符号１〜３、８、９、１６〜１９は従来の装置と全く同一のものでありその説明は省略する。但し垂直風向変更板１７の連結アーム１８は、該垂直風向変更板１７の上端部に位置し、かつ駆動モータ１９は本体天面前部に収納されている点が異なる。
２１は本体（ユニット）前面内壁の中央付近に形成されたユニット内部垂直内壁、２２は吹出口３の下辺前縁部からユニット内部垂直内壁２１に設けられた円弧状の流体案内壁、２４はこの円弧状の流体案内壁２２に設けられた固定風向板である。
【００４１】
次に動作について説明する。連結アーム１８及び駆動モータ１９は吹出口３の上部に位置するが、送風機（ファン）８からユニット背面に沿って上方に送り出される空気は風速が大きく、この風速の大きい空気（図１３の太線矢印Ｂ）がユニット天面に当って吹出口３上部から室内に吹出されるので、連結アーム１８及び駆動モータ１９を収納するための本体天面前部のふくらみの影響による気流の乱れは少ない。
連結アーム１８と駆動モータ１９を吹出口３の上部に移動したことにより、吹出口３の下部前縁部から垂直内壁２１にかけて円弧状の流体案内壁２２を設けてここに従来の装置には無い新たな吹出口３下部に連結した風路が形成される。熱交換器９の下部を通過して垂直内壁２１に沿って流れる風（図１３の太線矢印Ａ）は円弧状の流体案内壁２２に案内されて吹出口３の下部から吹出されるので、吹出口３下部の風量が従来のものより増加し、吹出口３周囲の高湿度の室内暖気（図１３の太線矢印Ｃ）をユニット内部に巻き込むことがなく、水平風向変更板１６及び流体案内壁２２への結露を防止することができる。
【００４２】
そして、吹出口３周囲の空気条件が非常に悪く万一水平風向変更板１６に結露した場合でも吹出口下部前縁部から円弧状に形成された流体案内壁２２に落下した露は自然にユニット内部に回収され空気調和機本体１の外部に流れ出ることはない。
【００４３】
図１４に示すように、円弧状の流体案内壁２２には、垂直に立設された固定風向板２４が設けられていて、この固定風向板２４は送風機（ファン）８の回転方向（空気調和機の右か左）に流れようとする風（図１５）を正面に向って吹き出すように整流すると共に、垂直風向変更板１７の軸受１７ａを兼ねている。
なお、円弧状の流体案内壁２２及び固定風向板２４は合成樹脂で一体に成形されている。
【００４４】
この実施例では垂直風向変更板１７の連結アーム１８とその駆動モータ１９を風速が大きく乱れを生じない吹出口３上部に配置し、吹出口３下部の本体内壁を円弧状の流体案内壁２２とすることにより、吹出口３下部から吹出される空気の風量を従来のものより多くなるようにしたので、室内の暖気を本体内部へ巻き込むことがなく、水平風向変更板１６や流体案内壁２２に結露するのを防止できる。そして、吹出口３周囲の空気条件が悪く万一水平風向変更板１６に結露した場合でも円弧状に形成された流体案内壁２２に露が落下するので露は自然に本体内部に回収され、本体外部に流出することはない。
【００４５】
実施例１２．
（実施例１２の概要）
実施例１１で説明したように、吹出口の下部に円弧状の流体案内壁を設けると、吹出口下部の風量が増加して、機種によっては吹出口中央部の風量が低下して吹出口全体の風速分布が均一にならない場合がある。そこで、流体案内壁と垂直壁との接続部に段差となる抵抗壁を設け垂直内壁に沿って流れる風の一部を吹出口の中央にジャンプさせ吹出口全体の風速分布を均一化する。
【００４６】
以下、この発明の実施例１２を図について説明する。図１６はこの発明の実施例１２による床置形空気調和機の部分縦断面図である。図において、２３は流体案内壁２２と垂直壁２１の接続部に設けられた段差である抵抗壁である。
【００４７】
垂直壁２１に沿って流れる風（図１６の太線矢印Ａ）の一部は、抵抗壁２３によって一部がジャンプして吹出口３中央部から吹出されるので、吹出口３全体の風速が均一化すると共に、流体案内壁２２の実施例１１で説明した効果は損なわれない。
【００５０】
【発明の効果】
請求項１の床置式空気調和機は、本体前面下部に設けられた上流側の吸込口から本体前面上部に設けられた下流側の吹出口の間に、上流側から順に送風機、熱交換器を配設し、吹出口に水平風向変更板と垂直風向変更板を有する床置形空気調和機において、吹出口下部の本体前面壁に、熱交換器の上方の本体前面垂直壁を沿って流れる風を水平風向変更板と吹出口下部の間に導く流体案内壁を備えた構成にしたので、吹出口下部の風量が増加し、室内の暖気を本体内部に巻き込むことがなく吹出口の露付きを防止できる。
【００５１】
請求項２の床置式空気調和機は、請求項１記載のものにおいて、垂直風向変更板の上端部に設けられた連結アームと、本体天面壁前部に収納された垂直風向変更板を駆動する駆動モータとを備えた構成にしたので、連結アーム及び駆動モータ収納部を通過する空気は風速が大きいので乱れを生じることがなく、かつ吹出口下部に流体案内壁の形成を可能にする。
【００５２】
請求項３の床置式空気調和機は、請求項２記載のものにおいて、流体案内壁の上面に立設され、風を吹出口から正面に吹き出すように整流するとともに垂直風向変更板の軸受けを兼ねる固定風向板を備えた構成にしたので、吹出口正面に風を吹き出すことができる。
【００５３】
請求項４の床置式空気調和機は、請求項１記載のものにおいて、流体案内壁が吹出口下部前縁部近傍から本体前面垂直壁に向かって円弧状に形成された構成にしたので、吹出口下部の風量が増加し、室内の暖気を本体内部に巻き込むことがなく吹出口の露付きを防止でき、万一結露した場合でも露を本体内部に回収できる。
【００５４】
請求項５の床置式空気調和機は、請求項１記載のものにおいて、流体案内壁と垂直壁との接続部に設けられ、段差を形成する抵抗壁を備えた構成にしたので、吹出口の風速分布を均一化できる。
【図面の簡単な説明】
【図１】この発明の実施例１による床置式空気調和機の縦断面図である。
【図２】この発明の実施例２による床置式空気調和機の部分縦断面図である。
【図３】この発明の実施例３による床置式空気調和機の部分縦断面図である。
【図４】この発明の実施例４による床置式空気調和機の縦断面図である。
【図５】この発明の実施例５による床置式空気調和機の縦断面図である。
【図６】この発明の実施例５による床置式空気調和機の外形斜視図である。
【図７】この発明の実施例５による床置式空気調和機のガイドの取り付け状態を示す透視図である。
【図８】この発明の実施例６による床置式空気調和機のガイドの取り付け状態を示す透視図である。
【図９】この発明の実施例７による床置式空気調和機のガイドの取り付け状態を示す透視図である。
【図１０】この発明の実施例８による床置式空気調和機のガイドの取り付け状態を示す透視図である。
【図１１】この発明の実施例９による床置式空気調和機のガイドの取り付け状態を示す透視図である。
【図１２】この発明の実施例１０による床置式空気調和機の縦断面図である。
【図１３】この発明の実施例１１による床置式空気調和機の縦断面図である。
【図１４】この発明の実施例１１による床置式空気調和機の要部斜視図である。
【図１５】この発明の実施例１１による床置式空気調和機の空気の流れを示す正面図である。
【図１６】この発明の実施例１２による床置式空気調和機の部分縦断面図である。
【図１７】従来の床置式空気調和機（従来例１）の縦断面図である。
【図１８】従来の床置式空気調和機（従来例１）の縦断面図である。
【図１９】他の従来の床置式空気調和機（従来例２）の縦断面図である。
【図２０】他の従来の床置式空気調和機（従来例２）の要部斜視図である。
【符号の説明】
１  本体、２  本体吸込口（吸込口）、３  本体吹出口（吹出口）、４  リアパネル、５  フロントパネル、６  ケーシング、８  ファン（送風機）、９  熱交換器、１１  ガイド（偏向手段）、１６  水平風向変更板、１７  垂直風向変更板、１８  連結アーム、１９  駆動モータ、２１  垂直壁、２２  流体案内壁、２３  抵抗壁、２４  固定風向板。
【図１】
0003614488.tif 000002
【図２】
0003614488.tif 000003
【図３】
0003614488.tif 000004
【図４】
0003614488.tif 000005
【図５】
0003614488.tif 000006
【図６】
0003614488.tif 000007
【図７】
0003614488.tif 000008
【図８】
0003614488.tif 000009
【図９】
0003614488.tif 000010
【図１０】
0003614488.tif 000011
【図１１】
0003614488.tif 000012
【図１２】
0003614488.tif 000013
【図１３】
0003614488.tif 000014
【図１４】
0003614488.tif 000015
【図１５】
0003614488.tif 000016
【図１６】
0003614488.tif 000017
【図１７】
0003614488.tif 000018
【図１８】
0003614488.tif 000019
【図１９】
0003614488.tif 000020
【図２０】
0003614488.tif 000021